(57)【特許請求の範囲】
【請求項１】
空調用縦配管の固定支持相当箇所に固着される支持体と、これの外面に締付け固定可能で、かつ、支持体の外面に突出形成された突起に対して配管軸線方向から係合可能な荷重受け部を有するクランプ金具とを備えた空調用縦配管の固定支持装置であって、
前記支持体が、縦配管の外周面の半周長と同一又はそれよりも大なる周方向長さ及び縦配管の外径と同一又はそれよりも大なる開口幅を有する略半円筒状又は略半長円筒状に構成されているとともに、前記支持体の両開口端部における配管軸線方向の一箇所又は複数箇所には、当該支持体が当接する縦配管の外周面の半周長領域を超えた部位に挾持状態で当接し、かつ、縦配管に対する径方向からの脱着を許容する抜止め解除位置にまで径方向外方に弾性変形可能な弾性挾持体が対設されている空調用縦配管の固定支持装置。
【請求項２】
前記弾性挾持体が、前記支持体の外面に沿って装着可能な略半円形状又は略半長円形状に曲げ形成された板バネの両端部をもって構成されているとともに、前記支持体には、前記板バネの配管軸線方向への移動を規制する位置決め手段が設けられている請求項１記載の空調用縦配管の固定支持装置。
【請求項３】
前記位置決め手段が支持体の両開口端部に形成された板バネが係入可能な係止凹部から構成されているとともに、前記板バネの両端部近傍箇所には、前記係止凹部内を支持体の外面側から内面側に横断する抜止め部が折り曲げ形成されている請求項２記載の空調用縦配管の固定支持装置。
【請求項４】
前記弾性挾持体を構成する板バネの両端部が弧状に曲げ形成されている請求項２又は３記載の空調用縦配管の固定支持装置。
【請求項５】
前記突起が、前記支持体１の配管軸線Ｘ方向の中間部分を管径方向外方に膨出形成したのち、それを配管軸線Ｘ方向から圧潰することにより一体形成されている請求項１〜４のいずれか１項に記載の空調用縦配管の固定支持装置。
【発明の詳細な説明】
【技術分野】
【０００１】
本発明は、ビルの屋上に据え付けられた空調用室外機から各階に据え付けられた複数の空調用室内機に亘って配設される冷媒管等の空調用配管のうち、ビルの壁面等に沿って上下方向に配設される縦配管の所定箇所を躯体側のブラケット等に固定支持する場合に用いられる空調用縦配管の固定支持装置に関する。
【背景技術】
【０００２】
従来の空調用縦配管の固定支持装置では、空調用縦配管の固定支持相当箇所に外嵌状態で固着される支持筒体と、これの外周面に締付け固定可能で、かつ、支持筒体の外周面に突出形成された突起に対して配管軸線方向から係合可能な荷重受け部を有するクランプ金具とが備えられているとともに、前記支持筒体が、縦配管の固定支持相当箇所に対して径方向外方から装着可能な複数の分割支持体から構成されている（特許文献１参照）。
【０００３】
また、前記支持筒体が、拡径側に弾性変形可能な二つの分割支持体から構成されているとともに、前記両分割支持体が、配管軸線方向一端部での周方向長が縦配管の外周面の半周長よりも大に、かつ、配管軸線方向他端部での周方向長が縦配管の外周面の半周長よりも小となる対称形に構成されている。
【０００４】
【特許文献１】特開２００４−１９６８８号公報
【発明の開示】
【発明が解決しようとする課題】
【０００５】
この従来の空調用縦配管の固定支持装置では、例えば、筒状断熱材で被覆処理された空調用縦配管の固定支持相当箇所に支持筒体を外嵌状態で固着する場合でも、その固定支持相当箇所に存在する断熱材のみを局部的に除去したのち、この断熱材除去箇所を通して外部に露出する管部分に、支持筒体を構成する複数の分割支持体を径方向外方から装着し、その状態で各分割支持体を縦配管にロウ付け等の適宜溶接手段で固着する。
それ故に、旧来の固定支持装置のように、縦配管の固定支持相当位置から端部までに存在する断熱材を剥ぎ取り、かつ、その管端部から外嵌した支持筒体を固定支持相当位置にまで移動操作する必要がなく、しかも、支持筒体の固着作業終了後に、断熱材が剥離された縦配管に対する断熱被覆処理も迅速、容易に行うことができる。
そして、前記支持筒体を構成する各分割支持体を縦配管の固定支持相当箇所に装着する場合、各分割支持体の径方向外方への抜け出しを阻止した状態で確実に挟持保持することができるものの、少なくとも縦配管の外周面の半周長よりも大に構成されている剛性のある各分割支持体の一端部を、それの開口幅が縦配管の外径よりも大となる状態にまでに拡径側に弾性変形させ、その状態で縦配管に外嵌装着する必要があるため、その装着に多くの労力を要していた。
【０００６】
本発明は、上述の実状に鑑みて為されたものであって、その主たる課題は、空調用縦配管に固着される支持体自体の合理的な改造をもって、縦配管の自重降下に起因する座屈変形や破損を防止しながらも、配管固定コストの低廉化を図ることができ、しかも、縦配管に対する支持体の装着作業も少ない労力で容易に行うことのできる空調用縦配管の固定支持装置を提供する点にある。
【課題を解決するための手段】
【０００７】
本発明による第１の特徴構成は、空調用縦配管の固定支持相当箇所に固着される支持体と、これの外面に締付け固定可能で、かつ、支持体の外面に突出形成された突起に対して配管軸線方向から係合可能な荷重受け部を有するクランプ金具とを備えた空調用縦配管の固定支持装置であって、
前記支持体が、縦配管の外周面の半周長と同一又はそれよりも大なる周方向長さ及び縦配管の外径と同一又はそれよりも大なる開口幅を有する略半円筒状又は略半長円筒状に構成されているとともに、前記支持体の両開口端部における配管軸線方向の一箇所又は複数箇所には、当該支持体が当接する縦配管の外周面の半周長領域を超えた部位に挾持状態で当接し、かつ、縦配管に対する径方向からの脱着を許容する抜止め解除位置にまで径方向外方に弾性変形可能な弾性挾持体が対設されている点にある。
【０００８】
上記特徴構成によれば、前記縦配管の外周面に支持体をロウ付け等の適宜溶接手段で固着する際、前記支持体自体は、縦配管の外径と同一又はそれよりも大なる開口幅を有する略半円筒状又は略半長円筒状に構成されているため、この支持体を径方向外方から容易に装着することができ、しかも、この支持体が当接する縦配管の外周面の半周長領域を超えた部位に支持体の両開口端部に対設した弾性挾持体が挾持状態で当接することにより、縦配管に対する支持体の径方向外方への抜け出しを阻止すると同時に支持体を縦配管の固定支持位置に仮止め保持することができる。
【０００９】
しかも、前記支持体よりも剛性の低い弾性挾持体で挾持保持するため、支持体自体の弾性力で縦配管に挾持保持させる場合に比して脱着操作を容易に行うことができるとともに、前記縦配管の外周面に略半円筒状又は略半長円筒状の支持体の周縁をロウ付け等の適宜溶接手段で固着することにより、縦配管と支持体とが一体化するから、支持体に設けられる突起が縦配管の外周面の半周長と略同じであっても、縦配管の自重降下を、支持体の突起とクランプ金具の荷重受け部との係合によって阻止することができる。
【００１０】
従って、縦配管の自重降下に起因する座屈変形や破損を防止しながらも、縦配管に固着される支持体としては、一つの略半円筒状体又は略半長円筒状体とこれを縦配管に挾持保持させるための弾性挾持体とを準備するだけで済むから、配管固定コストの低廉化を図ることができ、しかも、縦配管に対する支持体の装着作業も少ない労力で容易に行うことができる。
【００１１】
本発明による第２の特徴構成は、前記両弾性挾持体が、前記支持体の外面に沿って装着可能な略半円形状又は略半長円形状に曲げ形成された板バネの両端部をもって構成されているとともに、前記支持体には、前記板バネの配管軸線方向への移動を規制する位置決め手段が設けられている点にある。
【００１２】
上記特徴構成によれば、縦配管に固着される支持体としては、一つの略半円筒状体又は略半長円筒状体とこれを縦配管に挾持保持させるための板バネとを準備するだけで済むから、配管固定コストの低廉化を促進することができるとともに、前記支持体の外面に沿って装着された板バネの配管軸線方向への移動も位置決め手段によって阻止することができるので、支持体を縦配管の固定支持位置に良好に仮止め保持することができる。
【００１３】
本発明による第３の特徴構成は、前記位置決め手段が支持体の両開口端部に形成された板バネが係入可能な係止凹部から構成されているとともに、前記板バネの両端部近傍箇所には、前記係止凹部内を支持体の外面側から内面側に横断する抜止め部が折り曲げ形成されている点にある。
【００１４】
上記特徴構成によれば、前記支持体の両開口端部に形成された係止凹部内に、前記板バネの両端部近傍箇所に折り曲げ形成された抜止め部を、支持体の外面側から内面側に横断する状態で係入させることにより、板バネの配管軸線方向へのずれ移動のみならず径方向外方への抜け出し移動を阻止することができる。
【００１５】
本発明による第４の特徴構成は、前記弾性挾持体を構成する板バネの両端部が弧状に曲げ形成されている点にある。
【００１６】
上記特徴構成によれば、前記支持体を縦配管の固定支持位置に確実に仮止め保持しながらも縦配管に対する支持体の装着作業の容易化を図ることができる。
【００１７】
本発明による第５の特徴構成は、前記突起が、支持体１の配管軸線Ｘ方向の中間部分を管径方向外方に膨出形成したのち、それを配管軸線Ｘ方向から圧潰することにより鍔状に一体形成されている点にある。
【００１８】
上記特徴構成によれば、前記支持体の外面に別部材の突起を溶接する場合に比して、突起自体の強度と支持体との結合力を高めることができるから、略半円筒状又は略半長円筒状の一個の支持体を用いながらも、縦配管の自重降下を、支持体の突起とクランプ金具の荷重受け部との係合によって強力に阻止することができる。
【発明を実施するための最良の形態】
【００１９】
〔第１実施形態〕
図１〜図１０は、ビルの屋上に据え付けられた空調用室外機から各階に据え付けられた複数の空調用室内機に亘って配設される金属製（銅製）の冷媒管等の空調用配管Ｐのうち、ビルの壁面等に沿って上下方向に配設される縦配管Ｐの所定箇所を躯体側に設けられている溝型鋼利用の取付けフレーム（固定部の一例）Ｆに固定支持する場合に用いられる配管固定支持装置を示し、縦配管Ｐの固定支持相当箇所に装着自在で、かつ、ロウ付け等の溶接手段で縦配管Ｐの固定支持相当箇所に溶接される金属製（銅製）の支持体１と、取付けフレームＦに固定連結手段の一例であるボルト２で締付け固定される平面視略Ｌの字状のブラケット（固定部の一例）３、及び、該ブラケット３の連結板部３Ａに各縦配管Ｐに固着された支持体１を締結具４の一例であるボルト４Ａ・ナット４Ｂを介して脱着自在に固定支持する金属製のクランプ金具Ａとから構成されている。
【００２０】
前記支持体１は、図５〜図９に示すように、縦配管Ｐの外径の種類に対応した複数種類のものから構成されているとともに、前記各支持体１の配管軸線Ｘ方向の中央部分を管径方向外方に膨出形成したのち、それを配管軸線Ｘ方向から圧潰することにより、管径方向外方に鍔状に突出する略半円環状又は半長円環状の係合突起１Ａが一体形成されている。
そのため、例えば、前記支持体１の外面１ａに別部材の係合突起１Ａを溶接する場合に比して、係合突起１Ａ自体の強度及び係合突起１Ａと支持体１との結合力を高めることができるから、後述する略半長円筒状の一個の支持体１を用いながらも、縦配管Ｐの自重降下を、支持体１の突起１Ａとクランプ金具Ａの荷重受け部である係合孔８との係合によって強力に阻止することができる。
【００２１】
そして、前記支持体１は、縦配管Ｐの固定支持相当箇所に対して径方向外方から装着可能で、縦配管Ｐの外周面の半周長よりも少し大なる周方向長さ及び縦配管Ｐの外径Ｄよりも若干大きな開口幅Ｗを有する略半長円筒状に構成されているとともに、前記支持体１の両開口端部１Ｂにおける配管軸線Ｘ方向の二箇所、詳しくは、支持体１の両開口端部１Ｂにおける配管軸線Ｘ方向の両側端面と係合突起１Ａとの間の中央位置に相当する二箇所の各々には、当該支持体１が当接する縦配管Ｐの外周面の半周長領域を超えた部位に挾持状態で当接することにより、縦配管Ｐに対して支持体１を挾持保持させる一対の弾性挾持体５Ａが、縦配管Ｐに対する径方向からの脱着を許容する抜止め解除位置にまで径方向外方に弾性変形可能な状態で対設されている。
【００２２】
前記支持体１の開口幅方向で対設される両弾性挾持体５Ａは、前記支持体１の外面１ａに沿って装着可能な略半長円形状に曲げ形成された板バネ５の両端部をもって構成されているとともに、前記支持体１には、前記板バネ５の配管軸線Ｘ方向への移動を規制する位置決め手段６が設けられている。
【００２３】
前記位置決め手段６は、図５〜図１０に示すように、支持体１の両開口端部１Ｂにおけるバネ装着箇所に形成された板バネ５が係入可能な係止凹部から構成されているとともに、前記板バネ５の両端部である弾性挾持体５Ａの近傍箇所には、前記係止凹部６内を支持体１の外面１ａ側から内面１ｂ側に横断する抜止め部５Ｂが折り曲げ形成され、更に、前記弾性挾持体５Ａを構成する板バネ５の両端部が半円又はそれに近い弧状に曲げ形成されている。
【００２４】
そして、前記支持体１の両開口両端部１Ｂに形成された係止凹部６内に、前記板バネ５の両端部近傍箇所に折り曲げ形成されている抜止め部５Ｂを、支持体１の外面１ａ側から内面１ｂ側に横断する状態で係入させることにより、板バネ５の配管軸線Ｘ方向へのずれ移動のみならず径方向外方への抜け出し移動を阻止することができる。
【００２５】
前記クランプ金具Ａは、図１〜図４に示すように、前記支持体１の外面１ａに沿って当て付け可能な円弧状又は略円弧状のクランプ板部７Ａと、それの両端から管径方向に沿って一体的に連設される取付け板部７Ｂを備えたクランプ部材７から構成されているとともに、前記両取付け板部７Ｂの長手方向二箇所には、ブラケット３の連結板部３Ａに対して締結具４のボルト４Ａ・ナット４Ｂで締付け固定するためのボルト挿通孔７ａが形成され、前記両取付け板部７Ｂとブラケット３の連結板部３Ａとをボルト４Ａ・ナット４Ｂで締付け固定したとき、その締付け固定操作に連れて縮径するクランプ板部７Ａにより、縦配管Ｐにロウ付け等の適宜溶接手段で固着された支持体１を挾持固定するように構成されている。
【００２６】
また、前記ブラケット３の連結板部３Ａの長手方向二箇所には、これに対するクランプ金具Ａの水平方向での取付け位置を一定範囲内で調節自在に構成するための水平方向に沿う長孔状のボルト挿通孔３ａが形成されているとともに、前記ブラケット３の取付け板部３Ｂの上下両側部には、Ｃ型鋼やチャンネル材等の複数種類の取付けフレームＦの最大上下幅よりも大なる間隔を隔てた状態で一対のフランジ部３Ｃが折り曲げ形成されている。
【００２７】
前記クランプ部材７の幅方向中央位置には、縦配管Ｐに固着された支持体１の半長円環状の係合突起１Ａに対して管径方向外方から係合することにより配管軸線Ｘ方向での相対移動を接当阻止する荷重受け部としての係合孔８が形成されているとともに、各係合孔８は、図１〜図４に示すように、取付け板部７Ｂの一部にかかる状態でクランプ板部７Ａの全周に沿って細長いスリット状に形成されている。
【００２８】
そして、空調用縦配管Ｐの所定箇所を配管施工箇所のブラケット３の連結板部３Ａに取付ける場合、開き操作されたクランプ部材７のクランプ板部７Ａを、縦配管Ｐの固定支持相当箇所に固着された支持体１に外套装着して、クランプ部材７に形成されているスリット状の係合孔８を、支持体１の係合突起１Ａに対して管径方向外方から係合させたのち、クランプ部材７の両取付け板部７Ｂをブラケット３の連結板部３Ａに締結具４のボルト４Ａ・ナット４Ｂで締め付け固定すると、その締付け固定操作に連れて縮径する両クランプ板部７Ａが縦配管Ｐの支持体１を挾持固定すると同時に、クランプ部材７の係合孔８周縁と支持体１の係合突起１Ａとの接当により、縦配管Ｐの自重降下を確実に阻止することができる。
【００２９】
尚、図中９は、縦配管Ｐを囲繞する筒状の断熱材であり、縦配管Ｐの固定支持相当箇所に支持体１を固着する場合でも、その固定支持相当箇所に存在する断熱材９のみを局部的に除去したのち、この断熱材除去箇所を通して外部に露出する管部分に、支持体１を径方向外方から挾持状態で装着し、その状態で支持体１の全周縁を縦配管Ｐにロウ付け等の適宜溶接手段で固着する。
【００３０】
〔その他の実施形態〕
（１）上述の第１実施形態では、前記支持体１を、縦配管Ｐの外周面の半周長よりも少し大なる周方向長さ及び縦配管Ｐの外径Ｄよりも若干大きな開口幅Ｗを有する半長円筒状又略半長円筒状に構成したが、この支持体１を、縦配管Ｐの外周面の半周長と同一又は略同一の周方向長さ及び縦配管Ｐの外径Ｄと同一又はこれよりも若干大きな開口幅Ｗを有する半円筒状又は略半円筒状に構成してもよい。
【００３１】
（２）上述の第１実施形態では、前記略半長円筒状の支持体１として、縦配管Ｐの外径Ｄの種類に対応した複数種類のものを準備したが、自重の大きな縦配管Ｐが混在する場合には、略半長円筒状の支持体１と従来の周方向で複数に分割可能な支持筒体とを併用してもよい。
【００３２】
（２）上述の第１実施形態では、前記支持体１の開口幅方向で対設される両弾性挾持体５Ａを、前記支持体１の外面１ａに沿って装着可能な略半長円形状に曲げ形成された板バネ５の両端部をもって構成したが、前記両弾性挾持体５Ａを各別の板バネ等のバネ材で構成してもよい。
【００３３】
（４）上述の第１実施形態では、前記クランプ金具Ａとして、円弧状又は略円弧状のクランプ板部７Ａと、それの両端から管径方向に沿って一体的に連設される取付け板部７Ｂを備えたクランプ部材７を用いたが、例えば、支持体１の外面に沿って当て付け可能な半円弧状又は略半円弧状のクランプ板部と、それの一端から管径方向に沿って一体的に連設される取付け板部とからなる左右一対のクランプ部材を用いてもよい。
この場合、前記両クランプ板部の他端部には、これら両者を拡径側及び縮径側に開閉操作可能な状態で脱着自在に係合連結する係合連結部を設けるとよい。
尚、前記クランプ金具Ａとしては、前記支持体１の外面に突出形成された突起１Ａに対して配管軸線方向から係合可能な荷重受け部８を有するものであれば、如何なる構造のものを採用してもよい。
【００３４】
（４）上述の第１実施形態では、前記支持体１の両開口端部１Ｂにおける配管軸線Ｘ方向の二箇所に、径方向外方に弾性変形可能な板バネ等の弾性挾持体５Ａを設けたが、この弾性挾持体５Ａを、前記支持体１の両開口端部１Ｂにおける配管軸線Ｘ方向の一箇所又は三箇所以上に設けてもよい。
また、前記弾性挾持体としては、前記支持体１が当接する縦配管Ｐの外周面の半周長領域を超えた部位に挾持状態で当接し、かつ、縦配管Ｐに対する径方向からの脱着を許容する抜止め解除位置にまで径方向外方に弾性変形可能であれば、板バネ以外に合成ゴム等を用いることができる。
【図面の簡単な説明】
【００３５】
【図１】本発明の空調用縦配管の固定支持装置の第１実施形態を示す取付け時の斜視図
【図２】両クランプ金具と支持体とを分離したときの斜視図
【図３】クランプ金具の中心を通る部位での横断面正面図
【図４】縦配管に対する取付け直前の分解斜視図
【図５】板バネが組み付けられた支持体の正面図
【図６】板バネが組み付けられた支持体の側面図
【図７】板バネが組み付けられた支持体の平面図
【図８】支持体の正面図
【図９】支持体の平面図
【図１０】板バネの側面図
【符号の説明】
【００３６】
Ａ        クランプ金具
Ｐ        空調用縦配管
Ｗ        開口幅
Ｘ        配管軸線
１        支持体
１Ａ      係合突起
１Ｂ      開口端部
１ａ      外面
５        板バネ
５Ａ      弾性挾持体（端部）
５Ｂ      抜止め部
６        位置決め手段（係止凹部）
７Ａ      荷重受け部（係止部）
【図１】
0004724027.tif 000002
【図２】
0004724027.tif 000003
【図３】
0004724027.tif 000004
【図４】
0004724027.tif 000005
【図５】
0004724027.tif 000006
【図６】
0004724027.tif 000007
【図７】
0004724027.tif 000008
【図８】
0004724027.tif 000009
【図９】
0004724027.tif 000010
【図１０】
0004724027.tif 000011